(57)【要約】【課題】より多くの液体をポンプ内へ供給すること。【解決手段】中心軸Ｏの回りに回転可能に配置され、羽根車を備えたロータと、ロータを収容するケーシングであって、液体を中心軸と直交する半径方向Ａに沿って外側から内側の吸込口２５６ａまで導く吸込管２５６と、吸込口２５６ａから吸い込まれた液体を中心軸Ｏに沿って羽根車まで導く円筒管２５２Ａとを持つ、前記ケーシングとを有する遠心式ポンプにおいて、円筒管２５２Ａは、吸込管２５６中を流れて来た液体を、淀み無くスムーズに羽根車側へ向けて導く案内手段２５２ａを有する。案内手段は、吸込口２５６ａと対向する円筒管の角部の内管壁に、半径方向Ａに対して羽根車側へ斜めに傾けて設けられた平面形状の傾斜壁２５２ａから構成されている。【選択図】図８
2007120372.tif 000002
【特許請求の範囲】
【請求項１】
中心軸の回りに回転可能に配置され、羽根車を備えたロータと、前記ロータを収容するケーシングであって、液体を前記中心軸と直交する半径方向に沿って外側から内側の吸込口まで導く吸込管と、前記吸込口から吸い込まれた前記液体を前記中心軸に沿って前記羽根車まで導く筒管とを持つ、前記ケーシングとを有する遠心式ポンプにおいて、
前記筒管は、前記吸込管中を流れて来た液体を、淀み無くスムーズに前記羽根車側へ向けて導く案内手段を有することを特徴とする、遠心式ポンプ。
【請求項２】
前記案内手段が、前記吸込口と対向する前記筒管の角部の内管壁に、前記半径方向に対して前記羽根車側へ斜めに傾けて設けられた傾斜壁から成る、ことを特徴とする請求項１に記載の遠心式ポンプ。
【請求項３】
前記傾斜壁が、前記半径方向に対して所定角度だけ前記羽根車側へ傾いた一枚の平面形状の傾斜壁から成る、ことを特徴とする請求項２に記載の遠心式ポンプ。
【請求項４】
前記所定角度が２０度から７０度の範囲にある、請求項３に記載の遠心式ポンプ。
【請求項５】
前記所定角度が４５度である、請求項４に記載の遠心式ポンプ。
【請求項６】
前記傾斜壁が、前記半径方向に対して前記羽根車側へ傾いた曲面形状の傾斜壁から成る、ことを特徴とする請求項２に記載の遠心式ポンプ。
【請求項７】
前記曲面形状が球面形状である、請求項６に記載の遠心式ポンプ。
【請求項８】
前記曲面形状が円柱面形状である、請求項６に記載の遠心式ポンプ。
【請求項９】
前記傾斜壁が、前記半径方向に対して前記羽根車側へ傾いた複数枚の平面形状の傾斜壁から成る、ことを特徴とする請求項２に記載の遠心式ポンプ。
【請求項１０】
前記傾斜壁が、第１及び第２の平面状傾斜壁から成る、請求項９に記載の遠心式ポンプ。
【請求項１１】
前記第１の平面状傾斜壁は、前記半径方向に対して前記羽根車側へ第１の角度だけ傾いており、
前記第２の平面状傾斜壁は、前記中心軸の方向に対して前記羽根車側へ第２の角度だけ傾いている、請求項１０に記載の遠心式ポンプ。
【請求項１２】
前記第１の角度が３０度であり、前記第２の角度が３０度である、請求項１１に記載の遠心式ポンプ。
【請求項１３】
前記筒管が円筒管から成る、請求項１乃至１２のいずれか１つに記載の遠心式ポンプ。
【請求項１４】
前記ケーシングが樹脂製である、請求項１乃至１３のいずれか１つに記載の遠心式ポンプ。
【請求項１５】
前記ロータは、前記中心軸と同心の円環状の永久磁石を持ち、前記遠心式ポンプは、前記ケーシングを介して前記永久磁石の対向面に配置されたステータを備える、請求項１乃至１４のいずれか１つに記載の遠心式ポンプ。
【発明の詳細な説明】
【技術分野】
【０００１】
本発明は、遠心式ポンプに関し、特に、中心軸と直交する半径方向に延在する吸込管から吸込口を介して吸い込まれた液体を、中心軸の方向へ延在する筒管を介して羽根車へ導く構造を有する遠心式ポンプに関する。
【背景技術】
【０００２】
ポンプは、水などの液体を圧送する機械であって、液体を吸込口（流入口）から吸い込んで吐出口（流出口）から吐き出す機械である。ポンプには種々の種類があるが、その１つの種類として、遠心式ポンプが知られている。遠心式ポンプは、水などの液体をインペラーにより外周部の渦巻室へ急速に加速して送り出す機械である。換言すれば、遠心式ポンプは、羽根車を回転させることによって得られる遠心力で液体を圧送する機械である。このような遠心式ポンプは、高流量かつ高揚程を得ることが出来、効率も良いことから、ポンプの形式として広く採用されている。
【０００３】
一方、周知のように、種々のパーソナルコンピュータが発売されているが、パーソナルコンピュータは、ＣＰＵや、メモリ等を内蔵している。ＣＰＵはクロック周波数が高くなるに伴い、動作中に発生する熱が高くなる傾向にある。従って、ＣＰＵで発生した熱を外部へ排出する必要がある。
【０００４】
従来一般的にＣＰＵの排熱機構としては、ヒートシンクと空冷ファンとを組み合わせた空冷システムを採用している。しかしながら、この空冷システムを採用したパーソナルコンピュータでは、騒音の主な原因である「風切り音」が発生するという問題がある。このような「風切り音」を極力低減するために、ＣＰＵの冷却に水冷システムを採用したパーソナルコンピュータが開発され、注目されている。
【０００５】
上述した遠心式ポンプは、このような水冷システムにおいて、水を圧送するために使用される。このような遠心式ポンプは、筐体（ケーシング）の中央部に設けられた吸込口（流入口）から供給される水（液体）を、回転する羽根車の遠心力を利用して圧送し、筐体（ケーシング）の外周部に設けられた吐出口（流出口）から吐き出すような構成を持つ。
【０００６】
このような構成の遠心式ポンプにおいては、吸込口まで液体を運ぶための吸込管（流入管）がロータの回転の中心軸の方向に対して直交する半径方向に延在して配置され、この吸込管（流入管）によって半径方向内側の吸込口まで運ばれた液体を円筒管により中心軸の方向に沿って羽根車の方向へ導出するような構造を有する（例えば、特許文献１参照）。
【０００７】
一方、吸込口（流入口）から羽根車への流路における、急激な管路拡大による圧力損失を避けるため、筐体の中央部で上記円筒管を羽根車の方向へ向けて延在した構造を持つ遠心式ポンプが知られている。この場合、吸込管（流入管）と円筒管とは、吸込口（流入口）で直角に交わる。換言すれば、吸込管（流入管）と円筒管との間の接続は、円筒管の外周側面に吸込口（流入口）を開けて、吸込管（流入管）を接続する。
【０００８】
以下、図１及び図２を参照して、このような構造を持つ従来の遠心式ポンプについて説明する。図示の遠心式ポンプ１０では、後述する羽根車を回転駆動するモータとしてＤＣブラシレスモータを採用している。
【０００９】
図示の遠心式ポンプ１０は、筐体（後述する）の中心で、所定の中心軸Ｏ方向（図示の例では上下方向）に延在する固定軸１１を備え、この固定軸１１には軸受け１３を介してロータ１５が回転自在に取り付けられている。ロータ１５は、軸受け１３に回転自在に取り付けられた、中心軸Ｏ方向に延在する円筒部１５１と、この円筒部１５１の上端で、中心軸Ｏ方向と直交する方向（半径方向外側）に延在する円環部１５３と、この円環部１５３の下面の外周端に固定された、固定軸１１と同心の円環状の永久磁石１５５とを有する。この永久磁石１５５は周方向に着磁されている。
【００１０】
回転軸１１の下端は、後述する下ケースの支持部を介して、中心軸Ｏ方向と直交する方向（半径方向外側）へ延在する略円形平板状の基板１７に固定されている。この基板１７の主面（上面）１７ａ上に、ＤＣブラシレスモータのステータ１９が固定して取り付けられている。ステータ１９は、固定軸１１を中心として放射状に延びる複数の固定子コア１９１と、複数の固定子コア１９１のそれぞれに巻回した固定子コイル１９３と有する。
【００１１】
ステータ１９とロータ１５との間に下ケース２１が配置されている。詳述すると、下ケース２１は、固定軸１１の下端部を固定して支持する略円柱状の下支持部２１１と、ロータ１５の円筒部１５１の下面と所定の空間を空けて対向するように、下支持部２１１の上端部側から半径方向外側へ延在する第１の円環部２１２と、ロータ１５の円筒部１５１の外周面と所定の空間を空けて対向するように、第１の円環部２１２の外周端から上方へ延在する第１の円筒部２１３と、ロータ１５の円板部１５３の下面と所定の空間を空けて対向するように、第１の円筒部２１３の上端から半径方向外側へ延在する第２の円環部２１４と、ロータ１５の永久磁石１５５の内周面と所定の空間を空けて対向するように、第２の円環部２１４の外周端から下方へ延在する第２の円筒部２１５と、ロータ１５の永久磁石１５５の下面と所定の空間を空けて対向するように、第２の円筒部２１５の外周下端から半径方向外側へ延在する第３の円環部２１６と、ロータ１５の永久磁石１５５の外周面と所定の空間を空けて対向するように、第３の円環部２１６の外周端から上方へ延在する第３の円筒部２１７と、この第３の円筒部２１７の上周端から半径方向外側へ延在する延在する第４の円環部２１８とを有する。
【００１２】
ステータ１９は、下ケース２１の第１の円筒部２１３と、第２の円環部２１４と、第２の円筒部２１５との間に形成された空間内に配置される。一方、ロータ１５の永久磁石１５５は、下ケース２１の第２の円筒部２１５と、第３の円環部２１６と、第３の円筒部２１７との間に形成された空間内に配置される。したがって、ロータ１５の永久磁石１５５とステータ１９とは、下ケース２１の第２の円筒部２１５を間に挟んで、互いに対向して配置される。
【００１３】
下ケース２１は、第４の円環部２１３の上面の内周縁近傍から上方へ、固定軸１１と同心に、突出する円環状突出部２１９を備えている。この円環状突出部２１９の外周壁にはリング状のシールゴム２３が配置されている。
【００１４】
ロータ１５の円環部１５３の上面には、固定軸１１を中心として、半径方向へ放射状に延在する複数枚の羽根１５７が固定されている。これら複数枚の羽根１５７と上記円環部１５３と上記円筒部１５１とによって、羽根車が構成されている。換言すれば、ロータ１５は、羽根車と永久磁石１５５とによって構成されている。
【００１５】
ロータ１５は、上述した下ケース２１と後述する上ケース２５との間に形成される空間内に配置される。
【００１６】
図１及び図２に加えて図３乃至図５をも参照して、上ケース２５の構造について詳細に説明する。上ケース２５は、固定軸１１の上端部を固定して支持する円筒状の上支持部２５１と、この上支持部２５１から所定距離だけ離れて、上支持部２５１との間で流路用の空間を形成する円筒管２５２と、上記複数枚の羽根１５７を覆うように、円筒管２５２から半径方向外側へ延在するカップ状部２５３と、下ケース２１の第４の円環部２１８の上面と対向するように、カップ状部２５３の外周下端から半径方向外側へ延在する円環部２５４とを備えている。
【００１７】
上ケース２５は、水などの液体を吸い込む（流入する）ための吸込管（流入管）２５６と、液体を吐き出す（流出する）ための吐出管（流出管）２５７とを更に備える。
【００１８】
吸込管（流入管）２５６は、カップ状部２５３の上面上に中心軸Ｏ方向と直交する方向（半径方向又は水平方向）に延在して配置されており、吸込口（流入口）２５６ａを介して上ケース２５の中央部で上記円管２５２と連結されている。従って、液体は、吸込管２５６中を半径方向外側から半径方向内側へ流れ、吸込口２５６ａで直角に中心軸Ｏ方向に曲げられて、円管２５２を通り、羽根車へ導出される。
【００１９】
吐出管（流出管）２５７は、円環部２５４の上面上に中心軸Ｏ方向と直交する面（水平面）内で延在して配置されており、吐出口（流出口）２５７ａを介して上ケース２５のカップ状部２５３と外周部で連結されている。従って、回転する羽根車によって圧送された液体は、カップ状部２５３の外周部から吐出口（流出口）２５７ａを介して、吐出管２５７中を流れて水平方向に沿って吐き出される。
【００２０】
尚、円筒管２５２の上端は、円板状のキャップ２５８によって閉じられている。また、円環部２５４は、その下面側に円環状の凹部２５４ａを有する。この円環状の凹部２５４ａに、下ケース２１の円環状突出部２１９とリング状のシールゴム２３とが挿入され、下ケース２１と上ケース２５との間に挟まれた空間を密閉している。とにかく、下ケース２１と上ケース２５との組み合わせによって、遠心式ポンプ１０のロータ１５を収容するためのケーシング（筐体）が構成されている。ケーシング（筐体）は樹脂製である。
【００２１】
図６に上ケース２５とロータ１５とを組み合わせた組立て体の断面図を示す。上ケース２５での吸込管（流入管）２５６から羽根車までの流路に関して、急激な管路拡大による圧力損失を避けるために、円筒管２５２を羽根車に近接する位置まで延在させている。
【００２２】
また、他の遠心式ポンプとして、吸込管から吸込口まで導かれて来た液体（水）を、ロータを介して吐出口（吐水口）まで案内するボリュートケーシングを設けたものも知られている（例えば、特許文献２参照）。
【００２３】
【特許文献１】特開２００４−６０５８５号公報
【特許文献２】特開２００１−１５３０８３号公報
【発明の開示】
【発明が解決しようとする課題】
【００２４】
図７に、従来の遠心式ポンプ１０における、吸込管（流入管）２５６、円筒管２５２、及びキャップ２５８の部分のみを断面で示す。従って、図７では上支持部２５１の図示を省略してある。これらの具体的な寸法の一例は次の通りである。吸込管（流入管）２５６の内径は３ｍｍであり、外径は５ｍｍである。吸込管（流入管）２５６の入口から中心軸Ｏまでの長さは３５ｍｍである。円筒管２５２の内径は５．６ｍｍであり、外径は８ｍｍである。円筒管２５２の外管壁の高さ（長さ）は７ｍｍであり、内管壁の高さ（長さ）は５．５ｍｍである。したがって、キャップ２５８の厚さは１．５ｍｍである。
【００２５】
尚、上ケース２５は、金型を使用して成型して作られる。換言すれば、上ケース２５は樹脂製である。
【００２６】
このような構造を有する従来の遠心式ポンプ１０において、液体は吸込管（流入管）２５６中を、図７の矢印Ａで示されるように、半径方向（水平方向）に沿って外側から内側へ向かって流れ、吸込口（流入口）２５６ａを介して円筒管２５２中に入り、この円筒管２５２中を中心軸Ｏ方向に沿って下方へ流れる。
【００２７】
すなわち、従来の遠心式ポンプ１０では、液体の流れ方向を直角に曲げるために、吸込管（流入管）２５６と円筒管２５２とを吸込口（流入口）２５６ａを介して接続している。換言すれば、吸込管（流入管）２５６と円筒管２５２とは共に直管から成るので、液体の流れ方向を直角に曲げるために、直管同士を接続している。これにより、吸込管（流入管）２５６から吸込口（流入口）２５６ａを通過した液体は、円筒管２５２の内管壁に対して直角にぶつかるので、吸込口（流入口）２５６ａから離れた円筒管２５２の角部Ｂにおいて淀みが発生する。このように、淀む液体が存在するので、損失が発生し、液体の流量が減少する。その結果、遠心式ポンプ１０の消費電力が増加してしまう。
【００２８】
また、上記特許文献２に記載された遠心式ポンプにおいても、吸込管から吸込口を通過した液体は、ボリュートケーシングの内壁に対して略直角にぶつかるので、ボリュートケーシングの内壁の角部において淀みが発生する。その結果、上述した従来の遠心式ポンプと同様の問題が発生する。
【００２９】
したがって、本発明の課題は、より多くの液体をポンプ内へ供給することが可能な、遠心式ポンプを提供することにある。
【課題を解決するための手段】
【００３０】
本発明によれば、中心軸（Ｏ）の回りに回転可能に配置され、羽根車（１５１，１５３，１５７）を備えたロータ（１５）と、前記ロータを収容するケーシング（２１，２５）であって、液体を前記中心軸と直交する半径方向（Ａ）に沿って外側から内側の吸込口（２５６ａ）まで導く吸込管（２５６）と、前記吸込口（２５６ａ）から吸い込まれた前記液体を前記中心軸（Ｏ）に沿って前記羽根車まで導く筒管（２５２Ａ；２５２Ｂ；２５２Ｃ）とを持つ、前記ケーシングとを有する遠心式ポンプにおいて、前記筒管（２５２Ａ；２５２Ｂ；２５２Ｃ）は、前記吸込管（２５６）中を流れて来た液体を、淀み無くスムーズに前記羽根車側へ向けて導く案内手段（２５２ａ；２５２ｂ；２５２ｃ−１，２５２ｃ−２）を有することを特徴とする、遠心式ポンプが得られる。
【００３１】
上記遠心式ポンプにおいて、前記案内手段は、前記吸込口（２５６ａ）と対向する前記筒管の角部の内管壁に、前記半径方向（Ａ）に対して前記羽根車側へ斜めに傾けて設けられた傾斜壁（２５２ａ；２５２ｂ；２５２ｃ−１，２５２ｃ−２）から構成されて良い。
【００３２】
前記傾斜壁は、例えば、前記半径方向（Ａ）に対して所定角度（θ）だけ前記羽根車側へ傾いた一枚の平面形状の傾斜壁（２５２ａ）から構成されて良い。前記所定角度（θ）は、２０度から７０度の範囲にあることが好ましい。より好ましくは、前記所定角度(θ)は４５度である。
【００３３】
前記傾斜壁は、例えば、前記半径方向（Ａ）に対して前記羽根車側へ傾いた曲面形状の傾斜壁（２５２ｂ）から構成されて良い。前記曲面形状は、例えば、球面形状であっても良いし、円柱面形状であっても良い。
【００３４】
前記傾斜壁は、例えば、前記半径方向（Ａ）に対して前記羽根車側へ傾いた複数枚の平面形状の傾斜壁（２５２ｃ−１，２５２ｃ−２）から構成されて良い。具体的には、前記傾斜壁は、第１及び第２の平面状傾斜壁（２５２ｃ−１，２５２ｃ−２）から成る。その場合、前記第１の平面状傾斜壁（２５２ｃ−１）は、前記半径方向（Ａ）に対して前記羽根車側へ第１の角度（θ１）だけ傾いており、前記第２の平面状傾斜壁（２５２ｃ−２）は、前記中心軸（Ｏ）の方向に対して前記羽根車側へ第２の角度（θ２）だけ傾いている。前記第１の角度（θ１）は、例えば、３０度であって良く、前記第２の角度（θ２）は、例えば、３０度であって良い。
【００３５】
尚、上記遠心式ポンプにおいて、前記筒管は、例えば、円筒管（２５２Ａ；２５２Ｂ；２５２Ｃ）から構成される。また、前記ケーシング（２１，２５）は樹脂製である。前記ロータ（１５）は、前記中心軸（Ｏ）と同心の円環状の永久磁石（１５５）を持って良い。この場合、前記遠心式ポンプは、前記ケーシング（２１，２５）を介して前記永久磁石（１５５）の対向面に配置されたステータ（１９）を備える。
【００３６】
尚、上記括弧内の符号は、本発明の理解を容易にするために付したものであり、一例にすぎず、これらに限定されないのは勿論である。
【発明の効果】
【００３７】
本発明では、筒管が、吸込管中を流れて来た液体を淀み無くスムーズに羽根車側へ向けて導く案内手段を有するので、より多くの液体をポンプ内へ供給することが可能となる。
【発明を実施するための最良の形態】
【００３８】
以下、図面を参照して、本発明の実施の形態について詳細に説明する。
【００３９】
本発明が適用される遠心式ポンプの基本的な構成は、図１及び図２を参照して説明した従来の遠心式ポンプ１０と同じであり、異なる点は上ケースの円筒管の構成にある。従って、図１及び図２に示されたものと同様の機能を有するものには同一の参照符号を付す。そして、以下においては、説明を簡略するために、従来の遠心式ポンプ１０と異なる点についてのみ説明する。
【００４０】
図８を参照して、本発明の第１の実施の形態に係る遠心式ポンプに使用される上ケースの円筒管２５２Ａについて説明する。
【００４１】
図示の円筒管２５２Ａは、吸込口２５６ａと対向する角部Ｂ（図７参照）の内管壁に液体の流れ方向（半径方向）Ａに対して羽根車側へ斜めに傾けて配置された傾斜壁２５２ａを有している点を除いて、従来の円筒管２５２と同様の構成を有する。この傾斜壁２５２ａは、吸込管（流入管）２５６中を流れて来た液体を、淀み無くスムーズに羽根車側へ向けて導く案内手段として働く。
【００４２】
図示の傾斜壁２５２ａは、中心軸Ｏに直交する面（水平面）、換言すれば、液体の流れる方向（半径方向）Ａに対して所定角度θだけ羽根車側へ傾いた一枚の平面形状をしている。図示の例では、この角度θは４５度である。又、この平面状傾斜壁２５２ａの水平方向の寸法Ｌは５ｍｍである。尚、平面状傾斜壁２５２ａの傾斜角度θは、４５度以外の角度であっても良く、２０度から７０度の範囲であることが望ましい。また、平面状傾斜壁２５２ａの水平方向（半径方向）Ａの寸法Ｌは５ｍｍ以外の寸法であっても良いのは勿論である。但し、この寸法Ｌを円筒管２５２Ａの内径（この例では、５．６ｍｍ）に比較して小さくし過ぎると、効果が小さくなるので、適当な値を選択すべきであるのは明らかである。
【００４３】
図９に吸込口（流入口）２５６ａ付近の液体の流入路（吸込管２５６及び円筒管２５２Ａ）における液体の流速を矢印の長さで示す。矢印の長さが長ければ、それだけ液体の流速が速いことを示している。図９から、円筒管２５２Ａに平面状傾斜壁２５２ａを設けたことにより、吸込管（流入管）２５６中を流れて来た液体が、淀み無くスムーズに羽根車側へ導かれているのが分かる。
【００４４】
尚、外ケース２５の材料として使用した樹脂は、ＰＰＳ（ポリフェニレンサルファイド）である。
【００４５】
次に、傾斜壁２５２ａが無い従来の円筒管２５２を備えた従来の遠心式ポンプ１０と、傾斜壁２５２ａを持つ円筒管２５２Ａを備えた本実施の形態に係る遠心式ポンプとにおける効果を比較するために、シミュレーション結果について説明する。
【００４６】
シミュレーションは、ＣＲＡＤＬＥ社製流体解析ソフトＳＣＲＹＵ／Tetra for Windows Versions 5を使用して数値計算を行った。従来の遠心式ポンプ１０と本実施の形態における遠心式ポンプに対して、液体の流入部（入口）から羽根車の空間までの管路形状をモデル化した。流入部に一定圧力を加えて液体を自然放出させたときの、断面を横切る液体の流速の積分値を比較した。その結果、本発明者らは、本実施の形態に係る遠心式ポンプを使用すると、従来の遠心式ポンプ１０に比較して、流量が約９．５％増加することを確認した。本発明の第１の実施の形態に係る遠心式ポンプは、より多くの液体をポンプ内へ供給することができる。
【００４７】
とにかく、本発明の第１の実施の形態に係る遠心式ポンプおいては、円筒管２５２Ａの角部に傾斜壁２５２ａを設けることにより、吸込管２５６の流路断面積と、円筒管２５２Ａの流路断面積と、それらの間を接続する曲げ部の流路断面積とを、略等しい構造とすることができる。
【００４８】
上述した本発明の第１の実施の形態に係る遠心式ポンプでは、円筒管２５２Ａに一枚の平面形状の傾斜壁２５２ａを設けているが、傾斜壁の形状は平面形状に限定されず、曲面形状であっても良く、複数枚の平面形状の傾斜壁の組み合わせによって構成しても良いのは勿論である。
【００４９】
図１０を参照して、本発明の第２の実施の形態に係る遠心式ポンプに使用される上ケースの円筒管２５２Ｂについて説明する。図示の円筒管２５２Ｂは、平面形状の傾斜壁２５２ａの代わりに球面形状又は円柱面形状の傾斜壁２５２ｂを有している点を除いて、図８に示した円筒管２５２Ａと同様の構成を有する。
【００５０】
図示の傾斜壁２５２ｂは、半径Ｒの球面形状又は円柱面形状をしており、図示の例では、半径Ｒは５ｍｍである。このような構成の傾斜壁２５２ｂを有する円筒管２５２Ｂによれば、吸込管（流入管）２５６中を流れて来た液体を、淀み無くスムーズに羽根車側へ向けて導くことができる。その結果、本発明の第２の実施の形態に係る遠心式ポンプも、より多くの液体をポンプ内へ供給することができる。
【００５１】
図１１を参照して、本発明の第３の実施の形態に係る遠心式ポンプに使用される上ケースの円筒管２５２Ｃについて説明する。図示の円筒管２５２Ｃは、一枚の平面状傾斜壁２５２ａの代わりに、第１及び第２の平面状傾斜壁２５２ｃ−１、２５２ｃ−２を有している点を除いて、図８に示した円筒管２５２Ａと同様の構成を有する。
【００５２】
第１の平面状傾斜壁２５２ｃ−１は、中心軸Ｏに直交する面（水平面）、換言すれば、液体の流れる方向（半径方向）Ａに対して羽根車側へ第１の角度θ１だけ傾いており、図示の例では、この第１の角度θ１は３０度である。第２の平面状傾斜壁２５２ｃ−２は、中心軸Ｏの方向に対して羽根車側へ第２の角度θ２だけ傾いており、図示の例では、この第２の角度θ２は３０度である。このような構成の第１及び第２の平面状傾斜壁２５２ｃ−１、２５２ｃ−２を有する円筒管２５２Ｃにおいても、吸込管（流入管）２５６中を流れて来た液体を、淀み無くスムーズに羽根車側へ向けて導くことができる。その結果、本発明の第３の実施の形態に係る遠心式ポンプも、より多くの液体をポンプ内へ供給することができる。
【００５３】
以上、本発明について好ましい実施の形態によって説明してきたが、本発明は上述した実施の形態に限定しないのは勿論である。例えば、本発明の第２の実施の形態では、傾斜壁の曲面形状として球面形状又は円柱面形状を採用しているが、曲面形状は球面形状又は円柱面形状に限定されず、種々の曲面形状のものを採用しても良いのは勿論である。さらに、本発明の第１及び第３の実施形態では、平面状の傾斜壁として１枚と２枚の例を挙げて説明しているが、平面状の傾斜壁は３枚以上あっても良いのは勿論である。上述した実施の形態では、吸込口から吸い込まれた液体を中心軸に沿って羽根車まで導く筒管として、円筒管を例に挙げて説明しているが、筒管の断面形状は円形に限定されず、多角形であっても良い。
【図面の簡単な説明】
【００５４】
【図１】従来の遠心式ポンプの外観構成を示す斜視図である。
【図２】図１の線II−IIについての断面図である。
【図３】図１に示した遠心式ポンプに使用される従来の上ケースを、底面側の一方向から見た斜視図である。
【図４】図１に示した遠心式ポンプに使用される従来の上ケースを、底面側の別方向から見た斜視図である。
【図５】図１に示した遠心式ポンプに使用される、上ケースの線Ｖ−Ｖについて断面図である。
【図６】図１に示した遠心式ポンプに使用される、上ケースとロータとを組み合わせた組立て体の拡大断面図である。
【図７】図１に示した従来の遠心式ポンプにおける上ケースの、吸込管（流入管）、円筒管、及びキャップの部分のみを示す断面図である。
【図８】本発明の第１の実施の形態に係る遠心式ポンプに使用される上ケースの円筒管を、吸込管（流入管）及びキャップと共に示す断面図である。
【図９】吸込口（流入口）付近の液体の流入路（吸入管および円筒管）における液体の流速の矢印の長さで示した図である。
【図１０】本発明の第２の実施の形態に係る遠心式ポンプに使用される上ケースの円筒管を、吸込管（流入管）及びキャップと共に示す断面図である。
【図１１】本発明の第３の実施の形態に係る遠心式ポンプに使用される上ケースの円筒管を、吸込管（流入管）及びキャップと共に示す断面図である。
【符号の説明】
【００５５】
１０    遠心式ポンプ
１１    固定軸
１３    軸受
１５    ロータ
１５１    円筒部
１５３    円環部
１５５    永久磁石
１５７    羽根
１７    基板
１９    ステータ
２１    下ケース
２３    シールゴム
２５    上ケース
２５１    上支持部
２５２Ａ、２５２Ｂ、２５２Ｃ    円筒管
２５２ａ    平面形状の傾斜壁
２５２ｂ    球面形状又は円柱面形状の傾斜壁
２５２ｃ−１    第１の平面状傾斜壁
２５２ｃ−２    第２の平面状傾斜壁
２５３    カップ状部
２５４    円環部
２５６    吸込管（流入管）
２５６ａ    吸込口（流入口）
２５７    吐出管（流出管）
２５７ａ    吐出口（流出口）
２５８    キャップ
【図１】
2007120372.tif 000003
【図２】
2007120372.tif 000004
【図３】
2007120372.tif 000005
【図４】
2007120372.tif 000006
【図５】
2007120372.tif 000007
【図６】
2007120372.tif 000008
【図７】
2007120372.tif 000009
【図８】
2007120372.tif 000010
【図９】
2007120372.tif 000011
【図１０】
2007120372.tif 000012
【図１１】
2007120372.tif 000013